(57)【要約】【課題】  線材を縦横に所定間隔で設けたメッシュパネルに、表札を保持した支持具を着脱自在に、しかも触ったり、地震等の震動によって容易に外れることがないように取付け、その上、線材の塗膜が剥がれたり、線材に傷を付けることがなく、更に安価な表札陳列装置を提供する。【解決手段】  線材を縦横に所定間隔で設けたメッシュパネル３に、表札１を保持した支持具４を着脱自在に取付けてなる表札陳列装置であって、支持具は、表札を保持する保持部５と、保持部の上端部に設けたメッシュパネルの横線材９に係止するフック６と、保持部の下方に延びたプライスカード２を保持する垂直なカード固定板７と、カード固定板の下方に設けた外れ規制部８とを備え、外れ規制部は後方傾斜板１１に規制棒１２を後方へ進退可能に突設したものであり、規制棒が下方の横線材の下側に当止してフックの外れを防止する。【選択図】        図４
2008279092.tif 000002
【特許請求の範囲】
【請求項１】
線材を縦横に所定間隔で設けたメッシュパネルに、表札を保持した支持具を着脱自在に取付けてなる表札陳列装置であって、前記支持具は、表札を保持する保持部と、該保持部の上端部に設けた前記メッシュパネルの横線材に係止するフックと、該保持部の下方に延びたプライスカードを保持する垂直なカード固定板と、該カード固定板の下方に設けた外れ規制部とを備え、前記外れ規制部は後方傾斜板に規制棒を後方へ進退可能に突設したものであり、該規制棒が下方の横線材の下側に当止して前記フックの外れを防止することを特徴とする表札陳列装置。
【請求項２】
前記支持具の保持部は、表札を貼着する取付板と、その下縁に前方へ直角に折曲した受片とを有する側面視略Ｌ字形であり、前記取付板の上縁両側に一対の前記フックを後方へ突出形成してなる請求項１記載の表札陳列装置。
【請求項３】
前記支持具のカード固定板は、前記保持部の受片の前縁から下方に延設して形成し、該カード固定板の下方に前記外れ規制部の傾斜板を折曲形成し、該傾斜板に前記規制棒を直角に取付けて該規制棒を後方斜め上方に向けて突設してなる請求項１又は２記載の表札陳列装置。
【請求項４】
前記外れ規制部の傾斜板に雌ネジ部を設け、前記規制棒として長尺の規制ネジを用い、前記雌ネジ部に規制ネジを前面側から螺進退可能に螺合してなる請求項１〜３何れかに記載の表札陳列装置。
【請求項５】
前記外れ規制部の傾斜板にスリーブ状のブッシュを設け、前記規制棒として長尺の合成樹脂製の規制ピンを用い、前記ブッシュに規制ピンを前面側からスライド進退可能に弾性的に係合してなる請求項１〜３何れかに記載の表札陳列装置。
【発明の詳細な説明】
【技術分野】
【０００１】
本発明は、表札陳列装置に係わり、更に詳しくは量販店等の店舗に表札を陳列するための表札陳列装置に関するものである。
【背景技術】
【０００２】
従来、量販店等の店舗に表札を陳列するため、表札の裏面に取付板を貼り付け、該取付板に設けたフックを陳列用パネルの係止部に係止する方法がある。そして、陳列用パネルとしては、線材を縦横に所定間隔で設けたメッシュパネルや、多数の係止孔が所定間隔で穿孔された穴明きパネルが用いられている。しかし、メッシュパネルの線材や穴明きパネルの係止孔に単にフックを係止しただけでは、商品に意識的又は無意識的に触ったり、地震等の震動によって外れて落下する恐れがある。ここで、陳列用パネルに直接表札を接着剤で完全に固定すれば表札が外れることはないが、商品の陳列位置を変えたり、品揃えを変える場合には却って不便である。そこで、商品を陳列する支持部材が陳列用パネルから容易に外れなく、しかも比較的簡単な作業で外れるように工夫する必要がある。
【０００３】
例えば、特許文献１には、メッシュパネルに対し水平に突き出した吊下げ棒の基端を支持固定する固定基板を係合装着して、吊り下げ棒に商品を吊り下げ陳列するように構成してなる商品吊り下げ陳列具において、固定基板の所定位置にネジ孔を設け、該ネジ孔にボルトを装着し、該ボルトを螺進させて該ボルトの先端がメッシュパネルの線材の周面を押止固着するよう構成した商品吊り下げ陳列具が記載されている。しかし、メッシュパネルの線材にボルトの先端を押し付けると、線材の塗膜が剥がれたり、線材に傷を付けることになる。
【０００４】
また、特許文献２には、メッシュパネルに着脱自在に取付けるための支持具は、垂直な係止板と、該係止板とでメッシュパネルの一対の線材を抱持する固定板とを備え、前記係止板は上縁にメッシュパネルの上方線材に係止する下向きフック片を背面側に形成し且つ下縁にメッシュパネルの下方線材の下端に当止する当止片を背面側へ直角に形成するとともに、上下部に横長スリット孔を形成し且つ中央部に螺孔を形成したものであり、前記固定板は下縁に背面下方へ湾曲した下片を形成し且つ上縁に上方線材の下端に当止する上片を背面側へ直角に形成するとともに、中央部に通孔を形成したものであり、前記係止板の下向きフック片を上方線材に係止するとともに、当止片を下方線材の下方に配した状態で、該係止板の前面側から固定板の下片を下方のスリット孔に挿入して下方線材の上部を抱持するとともに、上片を上方のスリット孔に挿入して上方線材の下方に配し、固定板の通孔から挿入した固定ネジを係止板の螺孔に締着してなる物品支持装置が記載されている。しかし、この物品支持装置は、固定ネジを避ける位置に物品を保持する部分を設ける必要があり、構造が複雑になるとともに、部品点数が多くなってコスト高となる欠点を有している。
【特許文献１】実用新案登録第３０９６４２８号公報
【特許文献２】特許第３４６０４６４号公報
【発明の開示】
【発明が解決しようとする課題】
【０００５】
そこで、本発明が前述の状況に鑑み、解決しようとするところは、線材を縦横に所定間隔で設けたメッシュパネルに、表札を保持した支持具を着脱自在に、しかも触ったり、地震等の震動によって容易に外れることがないように取付け、その上、線材の塗膜が剥がれたり、線材に傷を付けることがなく、更に安価な表札陳列装置を提供する点にある。
【課題を解決するための手段】
【０００６】
本発明は、前述の課題解決のために、線材を縦横に所定間隔で設けたメッシュパネルに、表札を保持した支持具を着脱自在に取付けてなる表札陳列装置であって、前記支持具は、表札を保持する保持部と、該保持部の上端部に設けた前記メッシュパネルの横線材に係止するフックと、該保持部の下方に延びたプライスカードを保持する垂直なカード固定板と、該カード固定板の下方に設けた外れ規制部とを備え、前記外れ規制部は後方傾斜板に規制棒を後方へ進退可能に突設したものであり、該規制棒が下方の横線材の下側に当止して前記フックの外れを防止することを特徴とする表札陳列装置を構成した（請求項１）。
【０００７】
ここで、前記支持具の保持部は、表札を貼着する取付板と、その下縁に前方へ直角に折曲した受片とを有する側面視略Ｌ字形であり、前記取付板の上縁両側に一対の前記フックを後方へ突出形成してなることが好ましい（請求項２）。
【０００８】
また、前記支持具のカード固定板は、前記保持部の受片の前縁から下方に延設して形成し、該カード固定板の下方に前記外れ規制部の傾斜板を折曲形成し、該傾斜板に前記規制棒を直角に取付けて該規制棒を後方斜め上方に向けて突設してなることがより好ましい（請求項３）。
【０００９】
そして、前記外れ規制部の傾斜板に雌ネジ部を設け、前記規制棒として長尺の規制ネジを用い、前記雌ネジ部に規制ネジを前面側から螺進退可能に螺合してなるのである（請求項４）。
【００１０】
あるいは、前記外れ規制部の傾斜板にスリーブ状のブッシュを設け、前記規制棒として長尺の合成樹脂製の規制ピンを用い、前記ブッシュに規制ピンを前面側からスライド進退可能に弾性的に係合してなるのである（請求項５）。
【発明の効果】
【００１１】
以上にしてなる請求項１に係る発明の表札陳列装置は、支持具の保持部に表札の背面を貼着する等の適宜な手段で装着し、外れ規制部の規制棒を後退させて傾斜板から後方へ突出する長さを短く設定した状態で、上端部のフックをメッシュパネルの横線材に係止した後、前記規制棒を前進させて傾斜板から後方へ突出する長さを長く設定するだけで、該規制棒が下方の横線材の下側に当止して前記フックの外れを防止することができ、またメッシュパネルから外す場合には、前記規制棒を後退させて横線材に当らないようにするだけで、フックを上方の横線材から外すことができる。そして、支持具の保持部に装着した表札のプライスカードを、下部のカード固定板に貼着することにより、陳列効果を高めることができ、しかも表札とプライスカードが一体となっているので、移動の際にも便利である。また、前記外れ規制部は、カード固定板の下方位置で、後方傾斜板に規制棒を後方へ進退可能に突設した目立たたない構造であるので、陳列効果を損なうことがないのである。
【００１２】
請求項２によれば、前記支持具の保持部は、表札を貼着する取付板と、その下縁に前方へ直角に折曲した受片とを有する側面視略Ｌ字形であるので、取付板に貼着した表札の下端を受片に載せて支持するので、両面粘着シートによる貼着力が弱くても確実に表札を保持することができる。また、前記取付板の上縁両側に一対の前記フックを後方へ突出形成したので、メッシュパネルの横線材に両フックを係止することにより、支持具を左右の振れがなく安定にメッシュパネルに取付けることができる。
【００１３】
請求項３によれば、前記支持具のカード固定板は、前記保持部の受片の前縁から下方に延設して形成したので、カード固定板が取付板よりも前方に張り出し、該カード固定板に貼着したプライスカードが表札に隠れることがなく、見やすくなるのである。また、カード固定板の下方に前記外れ規制部の傾斜板を折曲形成し、該傾斜板に前記規制棒を直角に取付けて該規制棒を後方斜め上方に向けて突設したので、傾斜板は単に折曲するだけで形成することができ、また規制棒は傾斜板に直角に取付けるだけで、後方斜め上方に向けて突設することができ、それによりメッシュパネルの横線材の下側に当止することができる。
【００１４】
請求項４によれば、傾斜板に設けた雌ネジ部に、規制棒として長尺の規制ネジを前面側から螺合するだけの簡単な構造で外れ規制部を構成することができ、そして規制ネジを回転させることにより螺進退させ、後方への突出長さを調節してメッシュパネルの横線材に当止する状態及び当止しない状態にすることができる。
【００１５】
請求項５によれば、傾斜板に設けたスリーブ状のブッシュに、規制棒として長尺の合成樹脂製の規制ピンを前面側から弾性的に係合するだけの簡単な構造で外れ規制部を構成することができ、そして規制ピンを押し引きしてスライド進退させ、後方への突出長さを調節してメッシュパネルの横線材に当止する状態及び当止しない状態にすることができる。
【発明を実施するための最良の形態】
【００１６】
次に、添付図面に示した実施形態に基づき、本発明を更に詳細に説明する。図1及び図２は本発明に係る表札陳列装置を示し、図３はその分解斜視図、図４及び図５は使用状態の断面図を示し、図中符号１は表札、２はプライスカード、３はメッシュパネル、４は支持具、５は保持部、６はフック、７はカード固定板、８は外れ規制部をそれぞれ示している。
【００１７】
本実施形態では、表札１とプライスカード２を、メッシュパネル３にステンレス鋼板で作製した支持具４を介して着脱自在に取付けるようにしている。ここで、前記メッシュパネル３は、多数の横線材９，…と縦線材１０，…を交差させて縦横に所定間隔で設けたものであり、図示しない支柱や他の陳列棚によって垂下されている。ここで、便宜上、前記メッシュパネル３の横線材９の側を表側とし、縦線材１０の側を裏側とする。表札１の素材は、天然石、人工石、ステンレス、合成樹脂等様々であり、石や厚さの厚い金属製で作製したものは重量が重いといった他の商品にはない性質がある。本発明は、全ての種類の素材で作製した表札１にも対応することができるものである。
【００１８】
そして、前記支持具４は、表札１を保持する保持部５と、該保持部５の上端部に設けた前記メッシュパネル３の横線材９に係止するフック６，６と、該保持部５の下方に延びたプライスカード２を保持する垂直なカード固定板７と、該カード固定板７の下方に設けた外れ規制部８とを備えている。
【００１９】
更に詳しくは、図３〜図５に示すように、前記外れ規制部８は、後方傾斜板１１に規制棒１２を後方へ進退可能に突設したものであり、該規制棒１２が下方の横線材９の下側に当止して前記フック６の外れを防止するようにしている。ここで、前記傾斜板１１は、前記カード固定板７の下方に後方へ向けて側面視く字状に折曲形成し、該傾斜板１１に前記規制棒１２を直角に取付けて該規制棒１２を後方斜め上方に向けて突設している。
【００２０】
具体的には、前記外れ規制部８は、前記傾斜板１１に雌ネジ部１３を設け、前記規制棒１２として長尺の規制ネジ１４を用い、前記雌ネジ部１３に規制ネジ１４を前面側から螺進退可能に螺合して構成している。
【００２１】
図４及び図５に示すように、前記支持具４の保持部５は、表札１を貼着する取付板１５と、その下縁に前方へ直角に折曲した受片１６とを有する側面視略Ｌ字形となっている。そして、前記取付板１５の上縁両側に一対の前記フック６，６を後方へ突出形成し、前記保持部５の受片１６の前縁から下方に直角に延設して前記カード固定板７を形成している。前記表札１は、その裏面を前記保持部５の取付板１５の前面に両面粘着シート１７で貼着し、該表札１の下端は前記受片１６に載せて荷重を受けている。同様に、前記プライスカード２は、その裏面を前記カード固定板７の前面に両面粘着シート１８で貼着している。ここで、前記両面粘着シート１７、１８として、一般に市販されている両面テープを用いることができ、取付板１５の全面でなくても部分的に両面テープを貼り付けて表札１を貼着しても、受片１６で下端を受けているので表札１が外れることはないのである。
【００２２】
前記フック６は、前記取付板１５の上縁両側端部を上方へ延長して吊支片６Ａを形成し、該吊支片６Ａの上縁を後方へ直角に折曲して支持片６Ｂを形成し、更に支持片６Ｂの後縁を下方へ直角に折曲して係止片６Ｃを形成した形状を有し、本実施形態では前記支持片６Ｂの長さを前記横線材９と縦線材１０の直径の和に一致させ、若しくはそれよりも若干長く設定している。
【００２３】
前述のように、前記支持具４に表札１とプライスカード２を貼着し、前記規制ネジ１４を後退させて後方への突出長さを短く設定した状態（図２参照）で、図４（ａ）に示すように、前記メッシュパネル３の表側から前記支持具４のフック６，６を所定高さの横線材９に係止するとともに、取付板１５を横線材９，…に接触させた状態とし、それから前記規制ネジ１４をねじ込んで前進させ、該規制ネジ１４の後方突出部で下方の横線材９の下側を当止するように設定する。この状態では、前記表札１はメッシュパネル３に平行に装着される。また、図４（ａ）の状態から、前記支持具４の上部を手前に引いて、前記フック６の係止片６Ｃが横線材９に当止させると、前記表札１をやや前傾状態にすることができ、それにより高い位置に展示する場合でも下方からも見やすくなる。
【００２４】
また、図５に示すように、前記メッシュパネル３の裏側から前記支持具４のフック６，６を所定高さの横線材９に係止するとともに、取付板１５を縦線材１０，…に接触させた状態で取付けることも可能である。この状態で、前記規制ネジ１４の後方突出部が横線材９の下側に接触するように設定することにより、ガタツキなく取付けることができるとともに、図４に示すように、前記メッシュパネル３の表側に取付ける場合にも、前記支持具４及び表札１が持ち上げられたり、フック６を中心として下部が前方へ振れたりした場合でも、規制ネジ１４の後方突出部が下方の横線材９の下側に当止し、前記フック６が上方の横線材９から外れることを防止できるのである。
【００２５】
本発明では、前記支持具４の保持部５に表札１を取付ける構造は任意であるが、前述のように両面粘着シート１７で貼着し、表札１の下端を受片１６で載支することにより、簡単でしかも確実に取付けることができる。尚、表札１の裏面にネジ止めするための構造が設けられている場合には、前記取付板１５に表札１をネジ止めしても良い。
【００２６】
そして、図６は、外れ規制部８の他の実施形態を示している。本実施形態の外れ規制部８は、前記傾斜板１１にスリーブ状のブッシュ１９を設け、前記規制棒１２として長尺の合成樹脂製の規制ピン２０を用い、前記ブッシュ１９に規制ピン２０を前面側からスライド進退可能に弾性的に係合して構成したものである。この場合には、前記規制ピン２０の前端に設けたツマミ２１を持って押し引きするだけで、規制ピン２０の後方突出長さを調節することができる。また、前記規制ピン２０が弾性変形可能な場合には、該規制ピン２０を後方へ突出させたまま、該規制ピン２０の後方突出部を下方へ曲げた状態で前記フック６，６を前記メッシュパネル３の横線材９に係止し、その後、規制ピン２０を弾性復元させて下方の横線材９の下側に当止するようにしても良い。
【００２７】
また、前記フック６の形状を側面視倒Ｕ字形や倒Ｖ字形に形成すれば、メッシュパネル３の横線材９に係止した際に、ガタツキなく姿勢を一定に保つことができる。
【図面の簡単な説明】
【００２８】
【図１】本発明に係る表札陳列装置の使用状態における斜視図である。
【図２】同じくメッシュパネルに支持具を取付ける様子を示す斜視図である。
【図３】同じく支持具に表札及びプライスカード２を取付ける様子を示す分解斜視図である。
【図４】メッシュパネルの表側に支持具にて表札を取付けた状態を示し、（ａ）は表札がメッシュパネルに平行な状態の部分断面図、（ｂ）は表札が前傾した状態の部分断面図である。
【図５】メッシュパネルの裏側に支持具にて表札を取付けた状態の部分断面図である。
【図６】外れ規制部の他の実施形態を示す部分断面図である。
【符号の説明】
【００２９】
１  表札
２  プライスカード
３  メッシュパネル
４  支持具
５  保持部
６  フック
６Ａ  吊支片
６Ｂ  支持片
６Ｃ  係止片
７  カード固定板
８  外れ規制部
９  横線材
１０  縦線材
１１傾斜板
１２  規制棒
１３  雌ネジ部
１４  規制ネジ（規制棒）
１５  取付板
１６  受片
１７  両面粘着シート
１８  両面粘着シート
１９  ブッシュ
２０  規制ピン（規制棒）
２１  ツマミ
【図１】
2008279092.tif 000003
【図２】
2008279092.tif 000004
【図３】
2008279092.tif 000005
【図４】
2008279092.tif 000006
【図５】
2008279092.tif 000007
【図６】
2008279092.tif 000008